(57)【要約】【課題】  従来の画像合成方法は、見た者がイメージを把握しにくかったり、作成に要する手間、時間、費用が大きかったりした。【解決手段】  本発明の合成画像作成プログラム及びシステムは、ベース画像と素材画像を夫々選択し、組合せて一つの合成画像を作成し、記憶部に登録して表示させられるようにしたものであって、実写画像同士を簡易に合成できるものである。また、素材画像のベース画像内における表示範囲を画定可能とした。素材画像の大きさ、表示角度、表示位置等の表示状態を変更可能とした。登録された合成画像に表示されている素材画像を、表示状態の設定を保ったまま切替表示可能とした。合成画像を含んだ書式の書類作成を可能とした。ネットワークを通じてベース画像又は／及び素材画像をダウンロード可能とした。【選択図】図１
2006343973.tif 000002
【特許請求の範囲】
【請求項１】
合成画像作成のベースとなるベース画像をコンピュータ内部又は外部から選択させるベース画像選択機能と、選択したベース画像をコンピュータの表示画面に表示させるベース画像表示機能と、前記ベース画像に合成させる素材画像をコンピュータ内部又は外部から選択させる素材画像選択機能と、選択した素材画像を前記表示画面に表示されたベース画像内に表示させる素材画像表示機能と、前記ベース画像と素材画像とを組み合わせて合成画像を完成させる合成画像作成機能と、完成された合成画像を記憶部に登録する合成画像登録機能と、前記登録された合成画像を表示画面に表示する合成画像表示機能を、コンピュータに実現させることを特徴とする合成画像作成プログラム。
【請求項２】
請求項１記載の合成画像作成プログラムにおいて、ベース画像内における素材画像の表示範囲を画定し、素材画像のうち画定した表示範囲の外部又は内部をベース画像内に表示させる表示範囲画定表示機能をコンピュータに実現させることを特徴とする合成画像作成プログラム。
【請求項３】
請求項１又は請求項２記載の合成画像作成プログラムにおいて、ベース画像内に表示させる又は表示した素材画像の形状、大きさ、表示角度、表示位置、傾き、向き、色、デザインといった表示状態を変更することができる素材画像編集機能をコンピュータに実現させることを特徴とする合成画像作成プログラム。
【請求項４】
請求項１乃至請求項３のいずれかに記載の合成画像作成プログラムにおいて、合成画像における素材画像を、他の素材画像と切替表示させる素材画像切替表示機能をコンピュータに実現させることを特徴とする合成画像作成プログラム。
【請求項５】
請求項１乃至請求項４のいずれかに記載の合成画像作成プログラムにおいて、合成画像を含んだ書類の作成画面を表示画面に表示する書類作成画面表示機能をコンピュータに実現させることを特徴とする合成画像作成プログラム。
【請求項６】
請求項１乃至請求項５のいずれかに記載の合成画像作成プログラムにおいて、ベース画像又は／及び素材画像を、ネットワークを通じてダウンロードするダウンロード機能をコンピュータに実現させることを特徴とする合成画像作成プログラム。
【請求項７】
請求項１乃至請求項６のいずれかに記載の合成画像作成プログラムにおいて、ベース画像に表示された壁面、床面、天井面の面積を求めるのに必要な現場の実寸データを入力すると、その実寸データに対応させた形状、大きさに加工した素材画像をベース画像内に表示可能とする素材画像加工表示機能をコンピュータに実現させることを特徴とする合成画像作成プログラム。
【請求項８】
請求項１乃至請求項７のいずれかに記載の合成画像作成プログラムにおいて、ベース画像に表示された壁面、床面、天井面の面積を求めるのに必要な現場の実寸データを入力すると、その現場において実際に必要な素材の形状、大きさを算出する必要素材算出機能をコンピュータに実現させることを特徴とする合成画像作成プログラム。
【請求項９】
請求項１乃至請求項８のいずれかに記載の合成画像作成プログラムを備えたことを特徴とする端末機。
【請求項１０】
請求項１乃至請求項８のいずれかに記載の合成画像作成プログラムを備えた端末機と、その端末機とネットワークを介して通信接続されるサーバとを備え、サーバはベース画像又は／及び素材画像を備え、端末機とサーバはネットワークを通じてベース画像又は／及び素材画像の送受信ができることを特徴とする合成画像作成システム。
【発明の詳細な説明】
【技術分野】
【０００１】
本発明は、例えば、建物のリフォームの完成予想画像、室内の完成予想画像、室内に設置する家具や備品の設置予想画像、整髪後のヘアスタイルの予想画像、衣類着替え後の予想画像、化粧後の予想画像、機械組み立て後の予想画像、といった各種分野での予想画像を合成して作成できる合成画像作成プログラムと、そのプログラムを備えた端末機と、その端末機を備えた合成画像作成システムに関し、コンピュータの画面上で、画像合成の作成に必要な家具、屋外外装材、室内の装飾品や備品、衣類、色、柄といった各種素材を合成して(当てはめて）、完成予想画像を作成できるようにしたものである。
【背景技術】
【０００２】
従来、合成画像の作成には種々の方法がある。例えば、建物のリフォームの完成予想図を合成画像で作成する場合、以下の（１）、（２）の方法が用いられている。
（１）３Ｄ−ＣＧ作成ソフトを用いて、ＣＧで予め描かれたモデルとなる建物に、ＣＧで描かれた新たに配置するキッチン、バスルーム、ドア、フローリング、壁紙等を配置した合成画像を作成する方法。この場合、素材のカタログ等を顧客に見せて、色や模様や材質の補足説明を行っている。
（２）画像処理ソフトを用いて、リフォームを行う建物をデジタルカメラ等で撮影して得た画像と、実際に新たに配置するキッチン等をデジタルカメラ等で撮影して得た画像とを合成して合成画像を作成する方法。
【発明の開示】
【発明が解決しようとする課題】
【０００３】
しかし、前記のリフォームの完成予想図作成方法には、次のような課題がある。
（１）３Ｄ−ＣＧ作成ソフトを用いた場合、新たに配置するキッチン等の配置位置の大まかなイメージは把握しやすいが、３Ｄ−ＣＧ作成に用いるモデルとなる建物は実際にリフォームを行う建物の実写画像とは異なるため、実際にリフォームを行う建物におけるイメージが把握し難い。また、ＣＧ画像は本物に比べ現実味に欠けるため、新たに設置する設置物の質感などが把握し難く、結局カタログ等による色や模様や材質等の補足説明が必要となり、顧客がイメージを把握するのに手間がかかる。
（２）画像処理ソフトを用いた場合、実際の建物、キッチン等の写真を用いるので、リフォーム後の建物のイメージは把握し易いが、画像（写真）の切り取り、貼り付け、サイズ変更、表示角度調整、表示位置調整等の加工に膨大な手間がかかり、相当なコスト高になる。そのため、この方法で完成予想図を作成できるのは、公民館や体育館等の公的な設備や高級マンション等、コストを気にしなくて良い建物のリフォームの場合などに限られ、個人の住宅のリフォームの場合等は、手書きや３Ｄ−ＣＧ等、他の方法を取らざるを得なかった。また、完成までに時間がかかるため、迅速に完成予想図を提供できず、顧客がイメージをすぐに把握できない。また、連続して合成画像を作成できず、顧客が二以上のイメージを比較することもできない。
【課題を解決するための手段】
【０００４】
本発明は、上記課題を解決し、見た者がイメージを把握し易い現実的な合成画像を、簡易且つ迅速に、低コストで提供可能な合成画像作成プログラム、そのプログラムを搭載した端末機及び合成画像作成システムを提供するものである。
【０００５】
本願の第１の発明は、合成画像作成のベースとなるベース画像をコンピュータ内部又は外部から選択させるベース画像選択機能と、選択したベース画像をコンピュータの表示画面に表示させるベース画像表示機能と、前記ベース画像に合成させる素材画像をコンピュータ内部又は外部から選択させる素材画像選択機能と、選択した素材画像を前記表示画面に表示されたベース画像内に表示させる素材画像表示機能と、前記ベース画像と素材画像とを組み合わせて合成画像を完成させる合成画像作成機能と、完成された合成画像を記憶部に登録する合成画像登録機能と、前記登録された合成画像を表示画面に表示する合成画像表示機能を、コンピュータに実現させる合成画像作成プログラムであって、簡易且つ迅速に合成画像を作成、表示可能としたものである。
【０００６】
本願の第２の発明は、ベース画像内における素材画像の表示範囲を画定し、素材画像のうち画定した表示範囲の外部又は内部をベース画像内に表示させる表示範囲画定表示機能をコンピュータに実現させる前記合成画像作成プログラムであって、実際のイメージにより近い合成画像を簡易且つ迅速に作成可能としたものである。
【０００７】
本願の第３の発明は、ベース画像内に表示させる又は表示した素材画像の形状、大きさ、表示角度、表示位置、傾き、向き、色、デザインといった表示状態を変更することができる素材画像編集機能をコンピュータに実現させる前記合成画像作成プログラムであって、実際のイメージにより近い合成画像を様々なバリエーションで作成可能としたものである。
【０００８】
本願の第４の発明は、合成画像における素材画像を、他の素材画像と切替表示させる素材画像切替表示機能をコンピュータに実現させる前記合成画像作成プログラムであって、種々のバリエーションの合成画像を切替表示して、合成画像同士の比較も可能としたものである。
【０００９】
本願の第５の発明は、合成画像を含んだ書類の作成画面を表示画面に表示する書類作成画面表示機能をコンピュータに実現させる前記合成画像作成プログラムであって、合成画像を利用して様々な書類を簡易且つ迅速に提供可能としたものである。
【００１０】
本願の第６の発明は、ベース画像又は／及び素材画像を、ネットワークを通じてダウンロードするダウンロード機能をコンピュータに実現させる前記合成画像作成プログラムであって、最新のベース画像や素材画像を簡易且つ迅速に入手可能としたものである。
【００１１】
本願の第７の発明は、ベース画像に表示された壁面、床面、天井面の面積を求めるのに必要な現場の実寸データを入力すると、その実寸データに対応させた形状、大きさに加工した素材画像をベース画像内に表示可能とする素材画像加工表示機能をコンピュータに実現させる前記合成画像作成プログラムであって、素材画像の形状、大きさ等の表示状態の変更等の加工を行う必要がなく、簡易且つ迅速に合成画像を作成できるようになるものである。
【００１２】
本願の第８の発明は、ベース画像に表示された壁面、床面、天井面の面積を求めるのに必要な現場の実寸データを入力すると、その現場において実際に必要な素材の形状、大きさを算出する必要素材算出機能をコンピュータに実現させる合成画像作成プログラムであって、実際に工事を行う際に必要となる素材の面積や数量を容易に把握することができ、余分に購入する等の無駄が解消されるものである。
【００１３】
本願の第９の発明は、前記合成画像作成プログラムを備えた端末機であって、前記合成画像作成プログラムの各機能を備えた端末機として活用させることができるものである。
【００１４】
本願の第１０の発明は、前記合成画像作成プログラムを備えた端末機と、その端末機とネットワークを介して通信接続されるサーバとを備え、サーバはベース画像又は／及び素材画像を備え、端末機とサーバはネットワークを通じてベース画像又は／及び素材画像の送受信ができる合成画像作成システムであって、ネットワークを介して最新のベース画像や素材画像を簡易且つ迅速に入手可能なシステムとして活用させることができるものである。
【発明の効果】
【００１５】
本願の請求項１の合成画像作成プログラムは、ベース画像と素材画像を夫々選択し、組合せて一つの合成画像を作成し、完成された合成画像を記憶部に登録して表示させられるようにしたので、次のような効果がある。
（１）ベース画像と素材画像とを選択して組合せるだけで合成画像を作成することができるので、簡易且つ迅速に合成画像を提供することができる。加工の手間も少なく済み、コスト減にも資する。従って、実在の建物をデジタルカメラで撮影した画像等の実写画像同士の合成も従来より簡易且つ迅速に行うことができ、コスト減にも資する。
（２）簡易且つ迅速に合成画像を作成可能であるため、連続して合成画像を作成でき、二以上のイメージを比較し易くなる。
（３）例えばリフォーム完成予想画像を作成する場合であっても、ベース画像に、実際にリフォームを行う建物をデジタルカメラ等で撮影した実写画像を用い、素材画像にキッチン等の実写画像を用いれば、実際の建物のリフォーム完成予想画像等の合成画像を簡易且つ低コストで作成することもでき、実際の建物のイメージを把握し易い。また、カタログ等による補足説明も必要なく、手間がかからない。従って、個人住宅のリフォーム等の小規模なリフォームの場合であっても、実写画像に基づく完成予想図を安価に提供することができる。
（４）完成した合成画像を記憶部に登録し、表示することができるので、完成した合成画像はいつでも見ることができる。
【００１６】
本願の請求項２の合成画像作成プログラムは、素材画像のベース画像内における表示範囲を画定し、素材画像のうち画定した表示範囲の外部又は内部をベース画像内に表示させるようにするので、上記の各効果に加えて、次のような効果もある。
（１）素材画像のうち不要な部分を表示させないことができるので、実際のイメージにより近い現実的な合成画像を簡易且つ迅速に作成することができる。
（２）従って、例えば、ベース画像である建物の室内の画像中に、素材画像であるキッチンの画像を合成して合成画像を作成する際に、建物の柱や壁等でキッチンの一部が隠れる場合であっても、キッチンの表示範囲を画定することによって、建物の柱や壁等の前面にキッチンを出さないようにして、建物の柱や壁等でキッチンの一部が隠れるように合成画像を作成することもできる。
【００１７】
本願の請求項３の合成画像作成プログラムは、ベース画像内に表示させる又は表示した素材画像の形状、大きさ、表示角度、表示位置、傾き、向き、色、デザインといった表示状態を変更することができるので、上記の各効果に加えて、次のような効果もある。
（１）素材画像を任意の表示状態でベース画像内に表示することができるので、ベース画像に合わせて素材画像を合成させることができ、実際のイメージに更に近い現実的な合成画像を簡易且つ迅速に作成することができる。
（２）同じ対象について、表示状態を変更した合成画像を作成することができ、様々なバリエーションの合成画像を作成、提供することができる。
【００１８】
本願の請求項４の合成画像作成プログラムは、合成画像における素材画像を、他の素材画像と切替表示させるので、上記の各効果に加えて、次のような効果もある。
（１）作成した合成画像中の素材画像の表示範囲、形状、大きさ、表示角度、表示位置、傾き、向き、色、デザイン等の表示状態の設定を保ったまま素材画像を次々と切替えることができるので、同じベース画像中で、素材画像のみを変化させた場合の合成画像を次々と見ることができ、異なる二以上のイメージを比較しやすい。
（２）従って、例えば、ベース画像としての建物の画像中に、素材画像としてのドアを合成して合成画像を作成する際に、ドアの表示状態を保ったまま、ドアの材質や色を次々と変化させて表示すること等ができ、どのドアが建物に合うか等を、実際に合成されている画像を見ながら比較検討すること等もできる。
【００１９】
本願の請求項５の合成画像作成プログラムは、合成画像を含んだ書類の作成画面を表示画面に表示するので、上記の各効果に加えて、次のような効果もある。
（１）作成した合成画像を利用して様々な書類を簡易且つ迅速に提供することができる。
（２）従って、例えば、建物のリフォーム完成予想画像を作成してすぐに、その画像を盛り込んだ見積書や提案書を作成することができる等、営業や企画等、種々の業務活動をスムーズに行うことができる。
【００２０】
本願の請求項６の合成画像作成プログラムは、ネットワークを通じてベース画像又は／及び素材画像のダウンロードを行うので、上記の各効果に加えて、次のような効果もある。
（１）最新のベース画像や素材画像を簡易且つ迅速に入手でき、最新の素材画像を盛り込んだ合成画像を作成、提供することができる。
（２）ベース画像や素材画像を一々作成する必要がなく、簡易、迅速、安価に合成画像を作成することができる。
【００２１】
本願の請求項７の合成画像作成プログラムは、ベース画像に表示された壁面、床面、天井面の面積を求めるのに必要な現場の実寸データを入力すると、その実寸データに対応させた形状、大きさに加工した素材画像をベース画像内に表示可能とするので、上記の各効果に加えて、次のような効果もある。
（１）現場の実寸データを入力するだけで、それに対応した表示状態の素材画像が表示されるため、素材画像の形状、大きさ等の表示状態の変更等の加工を行う必要がなくなり、簡易且つ迅速に合成画像を作成できるようになる。
（２）従って、例えば、壁紙やフローリングの画像等、壁面、床面、天井面を覆って配置される、加工が面倒な素材画像によっても、簡易且つ迅速に合成画像を作成できるようになる。
【００２２】
本願の請求項８の合成画像作成プログラムは、ベース画像に表示された壁面、床面、天井面の面積を求めるのに必要な現場の実寸データを入力すると、その現場において実際に必要な素材の形状、大きさを算出するので、上記各効果に加えて、次のような効果もある。
（１）実際に工事を行う際に必要となる素材の形状や大きさ（面積）を容易に把握することができ、素材を余分に購入する等の無駄が解消されるものである。
（２）従って、例えば、壁紙やフローリング等、従来余分に購入していた素材の必要量も知ることができ、必要量のみを購入することができ、コスト減にも資する。
（３）また、実際に工事を行う際に必要となる素材の形状や大きさ（面積）が容易に把握できるので、予め工場内で必要となる形状や大きさ（面積）に素材をカットしておくことができ、現場での作業をスムースに行うことができる。また、無駄もない。
【００２３】
本願の請求項９の端末機は、前記合成画像作成プログラムを備えるので、上記の各効果に加えて、次のような効果もある。
（１）前記合成画像作成プログラムの各機能を備えた端末機としてそのまま活用させることができる。
【００２４】
本願の請求項１０の合成画像作成システムは、前記合成画像作成プログラムを備えた端末機と、その端末機とネットワークを介して通信接続されるサーバとを備え、サーバはベース画像又は／及び素材画像を備え、端末機とサーバはネットワークを通じてベース画像又は／及び素材画像の送受信ができるようにしたので、上記の各効果に加えて、次のような効果もある。
（１）ネットワークを介して最新のベース画像や素材画像を簡易且つ迅速に入手可能なシステムとして活用させることができる。
【発明を実施するための最良の形態】
【００２５】
（実施形態１）
本発明の合成画像作成プログラムと、そのプログラムを備えた端末機と、その端末機を備えた合成画像作成システムの実施形態の一例を、図１〜図１１に基づいて説明する。この実施形態の合成画像作成プログラム及び端末機及び合成画像作成システムは、建物のリフォームの完成予想図用の合成画像、即ち、建物のリフォームの完成予想をする際に用いる、既存の建物に新たなキッチン、バスルーム、ドア、フローリング等を当てはめた様子の合成画像の作成、加工等を行うプログラム及び端末機及びシステムの例である。この実施形態において説明する合成画像作成プログラム及び端末機及び合成画像作成システムはあくまで一例であって、この実施形態に限られるものではない。この実施形態では、リフォームを行う建物の外観や室内等の、ベースとなる画像（以下「ベース画像」とする。）に、リフォームを行う建物等に新たに配置するキッチン、バスルーム、ドア、フローリング、壁紙等の各種素材の画像（以下「素材画像」とする。）を合成させて合成画像を作成する。図１の合成画像作成システムは、一又は二以上の端末機１とサーバ２との間で通信ネットワーク３を介して通信可能なシステムである。通信ネットワーク３にはインターネットとか他の通信回線を用いることもできる。
【００２６】
前記端末機１は、不特定多数の人々が有する端末機である。端末機１は、パソコン、携帯電話、他のモバイル機器等のコンピュータであり、表示画面（ディスプレイ）と、入力装置（キーボード、マウス等）と、処理装置（マイクロプロセッサ）と、記憶装置（半導体メモリ、磁気ディスク等）を備えるものであって、通信ネットワークの利用が可能なものであれば任意の端末機を用いることができる。端末機１には、図１に示すように、本発明の合成画像作成システムで作成した合成画像を記憶する画像データベース４と、サーバ２からダウンロードしたベース画像や素材画像を記憶しておく素材データベース５とが設けられている。画像データベース４及び素材データベース５は、端末機１の内部と外部のいずれに設けることもできる。また、端末機１は静止画、動画、音楽等を表示、再生可能なものであってもよい。
【００２７】
端末機１には、本発明の合成画像作成プログラムが組み込まれている。本実施形態の端末機１は、前記合成画像作成プログラムを起動させることによって、トップ画面表示機能６、ベース画像選択機能８、ベース画像表示機能９、素材画像選択機能１０、素材画像表示機能１１、合成画像作成表示機能１２、表示範囲画定機能１３、素材画像編集機能１４、合成画像登録機能１５、合成画像表示機能１６、素材画像切替表示機能１７、書類作成画面表示機能１８、ダウンロード機能１９を始めとする各種機能を実現可能としてある。本実施形態の端末機１には、前記各機能６〜１９を始めとする各種機能が備えられている。
また、前記合成画像作成プログラム、ベース画像、素材画像は、フレキシブルディスク、ＣＤ−ＲＯＭ、ＭＯ、ＤＶＤ−ＲＯＭ等の、任意のコンピュータ読み取り可能な記録媒体に記憶させて、合成画像作成ソフトとして提供することもできる。
【００２８】
上記説明においては、本発明の合成画像作成プログラムは端末機１に組み込まれ、端末機１の内部又は外部に備えられた素材データベース５に、サーバ２からダウンロードしたベース画像や素材画像を記憶させておくこととしたが、合成画像作成プログラム及びベース画像や素材画像の配置は、これには限られず、任意の配置とすることができる。
従って、例えば、合成画像作成プログラムを端末機１に組み込み、ベース画像や素材画像をサーバ２内に保管しておき、サーバ２からダウンロードせずにサーバ２内でのみ利用できるようにしておくこともできる。
また、合成画像作成プログラムをサーバ２に組み込んでおき、端末機１から通信ネットワーク３を介してサーバ２にアクセスし、合成画像作成プログラムをサーバ２内で起動させて合成画像の作成等を行えるようにすることもできる。その場合、ベース画像や素材画像は、サーバ２に保管されているベース画像や素材画像を用いることができるようにしてある。サーバ２に保管されているベース画像や素材画像は、サーバ２内でのみ利用できるようにしてある。もっとも、ベース画像や素材画像は、サーバ２からダウンロードして端末機１の素材データベース５内に記憶されているものを用いたり、ＣＤ−ＲＯＭやＤＶＤ−ＲＯＭ等の記録媒体に記憶されているものを端末機１において読み出して用いたりすることもできる。
【００２９】
サーバ２は、図１に示すように、端末機１から通信ネットワーク３を介してアクセス可能なコンピュータである。サーバ２は、Ｗｅｂサイト等を形成して、通信ネットワーク３を介してベース画像や素材画像を端末機１に提供する画像提供機能を備えている。端末機１とサーバ２は互いにベース画像や素材画像の送受信ができるようにしてある。
【００３０】
前記トップ画面表示機能６（図２）は、キッチン、バスルーム、ドア、フローリング、壁紙等（以下「キッチン等」とする。）の各種の素材中から、どの種別の素材を用いた合成画像を作成するかを選択する図３のトップ画面２０を表示させる機能である。
【００３１】
図３のトップ画面２０は、端末機１において前記合成画像作成プログラムを起動させると、端末機１の表示画面に表示される画面である。図３のトップ画面２０には、以下の各選択欄２１〜２４が設けられている。図３のトップ画面２０の構成はあくまでも一例であって、トップ画面２０の構成はこれ以外の構成であってもよい。
（１）素材画像としてシステムキッチンの画像を使用する合成画像を作成するためのシステムキッチン欄２１。このシステムキッチン欄２１を選択すると、素材画像としてシステムキッチンの画像を使用する合成画像を作成する工程が開始され、図４に示すベース画像選択画面２５が表示される。
（２）素材画像としてシステムバスルームの画像を使用する合成画像を作成するためのシステムバスルーム欄２２。このシステムバスルーム欄２２を選択すると、素材画像としてシステムバスルームの画像を使用する合成画像を作成する工程が開始され、図４に示すベース画像選択画面２５が表示される。
（３）素材画像としてドアの画像を使用する合成画像を作成するためのドア欄２３。このドア欄２３を選択すると、素材画像としてドアの画像を使用する合成画像を作成する工程が開始され、図４に示すベース画像選択画面２５が表示される。
（４）素材画像としてフローリングの画像を使用する合成画像を作成するためのフローリング欄２４。このフローリング欄２４を選択すると、素材画像としてフローリングの画像を使用する合成画像を作成する工程が開始され、図４に示すベース画像選択画面２５が表示される。
上記各種の他にも素材画像がある場合には、その素材毎に更に選択欄を設けることもできる。従って、例えば素材画像として壁紙の画像を使用する合成画像を作成するための壁紙欄等を設けることもできる。
【００３２】
前記ベース画像選択機能８（図２）は、図４に示すベース画像選択画面２５を表示して、合成画像作成のベースとなるベース画像を選択させる機能である。また、ベース画像表示機能９（図２）は、選択したベース画像をベース画像選択画面２５の画像表示欄３０上に表示させる機能である。
【００３３】
図４のベース画像選択画面２５は、図３のトップ画面２０において、いずれかの選択欄２１〜２４を選択すると表示される画面であって、選択した欄に応じた種別の素材画像を使用して合成画像を作成するためのベース画像選択画面２５が表示される。本実施形態では、前記図３のトップ画面２０においてシステムキッチン欄２１を選択し、素材画像としてシステムキッチンの画像を使用し、図４のベース画像選択画面２５においてベース画像として建物の室内の画像を使用する合成画像（建物のリフォームの完成予想画像）を作成する場合について説明する。図４のベース画像選択画面２５には、以下の各表示欄、ボタン等が設けられている。図４のベース画像選択画面２５の構成はあくまでも一例であって、ベース画像選択画面２５の構成はこれ以外の構成であってもよい。
（１）作成中の画像を表示する画像表示欄３０。
（２）端末機１の記憶装置や、端末機１にセットしたＣＤ−ＲＯＭ、ＤＶＤ−ＲＯＭ、ＭＯ、フレキシブルディスク等の記録媒体からベース画像を読み出して選択するためのベース画像読み出しボタン３１。このベース画像読み出しボタン３１を押すと、図５に示す画像ファイル選択画面３２が表示され、ベース画像として読み出す画像を選択できるようになる。画像を選択すると、選択した画像がベース画像３３として画像表示欄３０に表示される（図６参照。）。
（３）前記画像ファイル選択画面３２によって選択した画像ファイル名を表示する画像ファイル名表示欄３４。
（４）通信ネットワーク３（インターネット）を通じて、外部のデータベースやＷｅｂサイト等に保管・表示されている画像をベース画像として選択するための通信ネットワーク画像読み出しボタン３５。この通信ネットワーク画像読み出しボタン３５を押すと、端末機１には、画像のＵＲＬを入力する入力欄（図示しない）が表示される。入力欄にＵＲＬを入力すると、通信ネットワーク３を介してそのＵＲＬに表示された画像を端末機１にダウンロードする。入力欄には、予め所定のＵＲＬを入力しておくこともできる。また、通信ネットワーク画像読み出しボタン３５を押すと、入力欄を表示せずに直接所定の画像やサイトを表示するようにすることもできる。画像がダウンロードされると、ダウンロードされた画像がベース画像３３として画像表示欄３０に表示される（図６参照。）。
（５）合成画像作成の進捗状況をシグナルと文字で表示する進捗状況表示欄３６。
（６）一つ前の表示画面に戻るバックボタン３７。
（７）一つ先の表示画面に進むネクストボタン３８。
なお、図４に示す画像表示欄３０、進捗状況表示欄３６、バックボタン３７、ネクストボタン３８は、他の各画面（表示範囲画定画面２６、素材画像選択画面２７、素材画像編集画面２８、画像決定画面２９）にも共通して設けられている。
【００３４】
前記表示範囲画定機能１３（図２）は、図６に示す表示範囲画定画面２６を表示して、前記画像表示欄３０中に表示したベース画像３３内に表示させる素材画像の、ベース画像３３内における表示範囲を画定し、素材画像のうち画定した表示範囲の外部又は内部をベース画像３３内に表示させる機能である。
【００３５】
図６の表示範囲画定画面２６は、図４のベース画像選択画面２５において、ベース画像を選択して画像表示欄３０に表示させて、ネクストボタン３８を押すと表示される画面である。
図６の表示範囲画定画面２６にも、前記ベース画像選択画面２５と同様に、画像表示欄３０、進捗状況表示欄３６、バックボタン３７、ネクストボタン３８が設けられている。表示範囲画定画面２６を表示した時点では、画像表示欄３０にはベース画像３３が表示されている。
この他に、図６の表示範囲画定画面２６には、以下の各表示物、ボタン等が設けられている。図６の表示範囲画定画面２６の構成はあくまでも一例であって、表示範囲確定画面２６の構成はこれ以外の構成であってもよい。
（１）素材画像を表示させる表示範囲を画定する表示範囲枠４０。この表示範囲枠４０はベース画像３３上に備えられている。表示範囲枠４０は四角形であり、四隅を移動させて大きさや形を任意に変えることができるようにしてある。表示範囲枠４０で囲まれた部分又はそれ以外の部分が、素材画像の表示範囲となる。表示範囲枠４０は、四隅以外にも、四辺を引っ張って、辺を曲線としたりすること等、任意の形状に変形させることも可能である。また、表示範囲枠４０の形状は四角形には限られず、他の任意の形状、例えば、三角形、円形等とすることもできる。
（２）表示範囲枠を追加表示する表示範囲枠追加ボタン４１。
（３）表示している表示範囲枠を削除する表示範囲枠削除ボタン４２。表示範囲枠削除ボタン４２を押して表示範囲枠４０を消すことで、表示範囲枠を一つも使用しないようにすることもできる。
【００３６】
前記素材画像選択機能１０（図２）は、図７に示す素材画像選択画面２７を表示して、前記画像表示欄３０中に表示したベース画像３３に合成させるシステムキッチンの画像（素材画像４４）を選択させる機能である。また、素材画像表示機能１１（図２）は、選択した素材画像４４を、ベース画像３３内に表示させる機能である。
【００３７】
図７に示す素材画像選択画面２７は、図６の表示範囲画定画面２６において、一又は二以上の表示範囲枠４０を所望の大きさ及び形状に変形させて、又は表示範囲枠４０を削除して用いないこととして、ネクストボタン３８を押すと表示される画面である。
図７の素材画像選択画面２７にも、前記各画面と同様に、画像表示欄３０、進捗状況表示欄３６、バックボタン３７が設けられている。なお、図７の素材画像選択画面２７ではネクストボタン３８は設けられていない。素材画像選択画面２７を表示した時点では、画像表示欄３０にはベース画像３３が表示されている。
この他に、図７の表示範囲画定画面２６には、ベース画像３３上に表示するキッチン（素材画像）の種類を選択する選択欄４５が設けられ、所望の素材画像を選択できるようにしてある。いずれかの選択欄４５を選択して所望の素材画像を選択すると、図８に示す素材画像編集画面２８が表示され、画像表示欄３０のベース画像３３上には、選択した素材画像４４が表示される。図７の素材画像選択画面２７の構成はあくまでも一例であって、素材画像選択画面２７の構成はこれ以外の構成であってもよい。
【００３８】
前記素材画像編集機能１４（図２）は、図８に示す素材画像編集画面２８を表示して、ベース画像３３上に表示した素材画像４４の形状、大きさ、表示角度、表示位置、傾き、向き、色、デザインといった表示状態を変更し、素材画像４４を編集可能とする機能である。
【００３９】
図８に示す素材画像編集画面２８は、前記図７の素材画像選択画面２７中のいずれかの選択欄４５を選択して所望の素材画像を選択すると表示される画面である。
図８の素材画像編集画面２８にも、前記各画面と同様に、画像表示欄３０、進捗状況表示欄３６、バックボタン３７、ネクストボタン３８が設けられている。素材画像編集画面２８を表示した時点では、画像表示欄には、ベース画像３３が表示され、更にそのベース画像３３の上に表示範囲画定画面２６で選択した素材画像４４が表示されている。
この他に、図８の素材画像編集画面２８には、以下の各表示物、ボタン等が設けられている。図８の素材画像編集画面２８の構成はあくまでも一例であって、素材画像編集画面２８の構成はこれ以外の構成であってもよい。
（１）選択した素材画像４４（キッチン）の名称、型番、簡単な画像等を示す素材表示欄４６。
（２）画像表示欄３０のベース画像３３上に表示している素材画像４４の、ベース画像３３上での表示角度を選択できる表示角度選択ボタン４７。各表示角度選択ボタン４７には、素材画像４４を種々の角度から表示した様子の画像が表示されており、所望の表示角度の表示角度選択ボタン４７を選択すると、ベース画像３３上に表示している素材画像４４の表示角度が選択した表示角度となる（図９参照。）。
（３）画像表示欄３０のベース画像３３上に表示している素材画像４４の表示幅を変化させられる表示幅変更ボタン４８。表示幅変更ボタン４８を押すと、それに合わせてベース画像３３上に表示している素材画像４４の表示幅が変化する（図９参照。）。表示幅変更ボタン４８には、表示幅を広げるボタンと狭めるボタンとが設けられており、素材画像４４の表示幅が所望の幅になるように調節することができる。
（４）画像表示欄３０のベース画像３３上に表示している素材画像４４の表示高を変化させられる表示高変更ボタン４９。表示高変更ボタン４９を押すと、それに合わせてベース画像３３上に表示している素材画像４４の表示高が変化する（図９参照。）。表示高変更ボタン４９には、表示高を高くするボタンと低くするボタンとが設けられており、素材画像４４の表示高が所望の高さになるように調節することができる。
（５）画像表示欄３０のベース画像３３上に表示している素材画像４４の、ベース画像３３上での表示位置を変化させられる表示位置変更ボタン５０。表示位置変更ボタン５０を押すと、それに合わせてベース画像３３上に表示している素材画像４４のベース画像３３上での表示位置が変化する。表示位置変更ボタン５０には、表示位置を上、下、右、左に移動させるボタンが夫々別個に設けられている。
（６）画像表示欄３０のベース画像３３上に表示している素材画像４４を回転させる（傾ける）ことができる素材画像回転ボタン５１。素材画像回転ボタン５１を押すと、それに合わせてベース画像３３上に表示している素材画像４４が左右に傾く（回転する）。素材画像回転ボタン５１には、素材画像４４を右回転させる右回転ボタンと、左回転させる左回転ボタンとが夫々別個に設けられている。
【００４０】
上記のような、素材画像４４の表示角度、表示幅、表示高、表示位置、傾きの変更のほかに、素材画像４４自体の形状を変化させることもできる。その場合は、素材画像４４の四隅又は四辺をクリックして引っ張る等して、素材画像４４を所望の形状に変形させることができる。また、素材画像４４を変形させる際に、手前側と奥側とで、素材画像４４の模様の幅を変化させる等、自動的に遠近（奥行き）をつけて変形させられるようにすることもできる。また、素材画像４４の表示位置の移動は、上記のようにボタンを押して移動させるほかに、ドラッグアンドドロップの操作によって行うこともできる。その他にも、素材画像の向き、色、デザイン等、表示状態を任意に変化させることもできる。
【００４１】
前記合成画像作成表示機能１２（図２）は、図１０に示す画像決定画面２９を表示して、前記表示範囲画定機能１３で確定した表示範囲枠４０で囲まれた部分又はそれ以外の部分を、素材画像４４の表示範囲として表示させ、合成画像を完成させて表示する機能である。また、合成画像登録機能１５（図２）は、完成させた合成画像を前記画像データベース４に登録する機能である。
【００４２】
図１０に示す画像決定画面２９は、図８、図９に示す素材画像編集画面２８においてネクストボタン３８を押すと表示される画面である。
図１０の画像決定画面２９にも、前記各画面と同様に、画像表示欄３０、進捗状況表示欄３６、バックボタン３７が設けられている。なお、図１０の画像決定画面２９ではネクストボタン３８は設けられていない。素材画像選択画面２７を表示した時点では、画像表示欄３０には、図９に示すような、ベース画像３３上に編集後の素材画像４４が表示された画像が表示されている。
この他に、図１０の画像決定画面２９には、以下の各表示物、ボタン等が設けられている。図１０の画像決定画面２９の構成はあくまでも一例であって、画像決定画面２９の構成はこれ以外の構成であってもよい。
（１）前記表示範囲画定機能１３で画定した表示範囲枠４０の内側のみ素材画像４４を表示するか、表示範囲枠４０の外側のみ素材画像４４を表示するかを切替える表示範囲切替ボタン５２。
（２）前記表示範囲画定機能１３で画定した表示範囲枠４０を適用させるか適用させないかを切替える表示範囲枠適用切替ボタン５３。表示範囲枠４０を適用させる場合は、上記表示範囲切替ボタン５２で表示範囲枠４０の内側のみ素材画像４４を表示するように設定している場合は、ベース画像３３上に表示されている素材画像４４は、表示範囲枠４０の内側部分のみ表示されて、表示範囲枠４０の外側部分は表示されなくなる（図１０参照。）。逆に表示範囲切替ボタン５２で表示範囲枠４０の外側のみ素材画像４４を表示するように設定している場合は、ベース画像３３上に表示されている素材画像４４は、表示範囲枠４０の外側部分のみ表示されて、表示範囲枠４０の内側部分は表示されなくなる。表示範囲枠４０を適用させない場合は、ベース画像３３上に表示されている素材画像４４は、前記素材画像編集機能１４によって編集された後の状態のままとなる。
（３）画像表示欄３０に表示中の画像を合成画像として登録する登録ボタン５４。登録ボタン５４を押すと、合成画像の登録が完了し、図１１に示すような完了画面５５が表示される。完了画面５５には、合成画像編集ボタン５６が備えられている。合成画像編集ボタン５６を押すと、再び図３のトップ画面２０が表示され、合成画像の作成を行うことができる。また、完了画面５５には、登録した合成画像にファイル名を付す名前入力欄を設けることもできる。
【００４３】
前記合成画像表示機能１６（図２）は、前記合成画像登録機能１５によって画像データベース４に登録した合成画像を、端末機１の表示画面（ディスプレイ）に表示する機能である。画像データベース４は、端末機１の内部又は外部に備えられ、端末機１からアクセス可能としてある。画像データベース４内には、合成画像表示機能１６によって、画像データベース４に登録した合成画像が、キッチン等の素材画像の種別毎にフォルダ形式で保管されている。各種別毎のフォルダには、登録した合成画像がファイル形式で保管されている。その中から所望の合成画像のファイルが選択されると、画像表示画面（図示しない）を端末機１の表示画面に表示して、選択された合成画像が表示されるようにしてある。
【００４４】
前記素材画像切替表示機能１７（図２）は、前記画像データベース４に登録された合成画像に表示されている素材画像の種類（キッチン、バスルーム、ドア、フローリング等）、表示範囲（表示範囲枠の数、大きさ、形状、表示範囲枠の適用の有無、表示範囲の内外いずれを表示するか等）、形状、大きさ（表示幅、表示高）、表示角度、表示位置、傾き、向き、色、デザインといった各表示状態の設定のうち少なくとも一つをそのままにして素材画像を切替え表示させる機能である。画像データベース４内で選択された合成画像が端末機１の表示画面に表示されると、同じ画面内に素材画像の切替え表示ボタン（図示しない）が表示され、その切替え表示ボタンを押して、表示中の合成画像の種類及び表示状態の設定を保ったまま素材画像を次々と切替表示することができるようにしてある。素材画像を切替表示した合成画像も、画像データベース４に登録することができる。また、素材画像の切替表示が可能な機会は、上記の画像データベース４内で選択した合成画像の表示中には限られず、合成画像を作成し、登録する直前や登録した直後に行うこともできる。その場合は、例えば、前記画像決定画面２９（図１０）中に前記切替表示ボタン（図示しない）を表示し、その切替表示ボタンを押して、表示中の合成画像の種類及び表示状態の設定を保ったまま素材画像を次々と切替表示することができるようにする。また、図１１の完了画面５５に切替表示ボタンを設け、切替表示ボタンを押すと、作成・登録した合成画像が表示され、その合成画像の素材画像を次々と切替表示することができるようにすることもできる。素材画像の切替表示は、この他にも任意の機会に行うことができる。
【００４５】
前記書類作成画面表示機能１８（図２）は、前記画像データベース４に登録された合成画像を含んだ書類の作成画面（図示しない）を端末機１の表示画面に表示させ、書類の作成を可能とする機能である。画像データベース４内で選択された合成画像が端末機１の表示画面に表示されると、同じ画面内に書類作成ボタン（図示しない）が表示され、その書類作成ボタンを押して、表示中の合成画像を含む書類を作成可能な書類作成画面を表示して、表示中の合成画像を含む提案書や見積書等の書類を作成することができる。作成した書類は画像データベース４内に登録することができる。また、合成画像を含む書類の作成が可能な機会は、上記の画像データベース４内で選択した合成画像の表示中には限られず、合成画像を作成し、登録する直前や登録した直後に行うこともできる。その場合は、例えば、前記画像決定画面２９（図１０）において登録ボタン５４を押すと表示される完了画面５５（図１１）中に、前記書類作成ボタン（図示しない）を表示し、その書類作成ボタンを押して、作成・登録した合成画像を含む書類を作成可能な書類作成画面を表示して、表示中の合成画像を含む提案書や見積書等の書類を作成することができるようにする。合成画像を含む書類の作成は、この他にも任意の機会に行うことができる。
【００４６】
前記ダウンロード機能１９（図２）は、通信ネットワーク３を通じて、前記サーバ２からベース画像や素材画像を端末機１にダウンロードする機能である。図３のトップ画面２０に設けられたダウンロードボタン（図示しない）を押すと、サーバ２からのダウンロードが開始されるようにすることができる。もっとも、ダウンロードボタンを備えるのは図３のトップ画面２０上には限られず、他の任意の画面上に備えることもできる。また、ダウンロードする内容を選択して、選択した内容のみをダウンロードすることもできる。従って、例えば、キッチンの素材画像のみをダウンロードしたり、最新の素材画像のみをダウンロードしたりすること等も可能である。ダウンロードされたベース画像や素材画像は、前記素材データベース５に記憶され、保管される。素材データベース５に保管されたベース画像や素材画像は、前記ベース画像選択機能８や素材画像選択機能１０において、夫々ベース画像や素材画像として選択して合成画像を作成することができる。ダウンロードしたベース画像や素材画像にはプロテクトがかけられており、本発明の合成画像作成プログラムにおいてのみ使用できるようにしてある。
【００４７】
また、端末機１が自動でダウンロードを行うようにすることもできる。その場合、ダウンロードを行う時期や頻度は、任意に設定することができる。また、このダウンロード機能１９は、通信ネットワーク３を通じて、サーバ２から本発明の合成画像作成プログラムの更新データを端末機１にダウンロードさせることもできる。
【００４８】
前記各機能の動作順、及び前記各画面の表示順は、上記した順番には限られず、任意の順番とすることができる。従って、例えば、最初にベース画像を選択し、その後素材画像の種別を選択したり、ベース画像上に素材画像を配置した後に、表示範囲枠を変形させて素材画像の表示範囲を画定したりすること等も可能である。
【００４９】
（合成画像作成プログラム及びシステムの実行例）
本発明の合成画像作成プログラム及びシステムの実行例について、図１２〜図１４のフローチャートを用いて説明する。本実行例では、ベース画像として建物の室内の画像を使用し、素材画像としてシステムキッチンの画像を使用する合成画像（建物のリフォームの完成予想図）を作成する場合について説明する。もっとも、図１２〜図１４のフローチャートに示す実行例に示す作業順や各画面の表示順は一例であって、これに限られるものではない。
【００５０】
（プログラム起動〜合成画像作成、登録の実行例）
図１２は、本発明の合成画像作成プログラム及びシステムの実行例中、プログラム起動から合成画像作成、登録の実行例までの流れを示すフローチャートである。端末機１において本発明の合成画像プログラムを起動させると（Ｓ１）、端末機１の表示画面に図３のトップ画面２０が表示される（Ｓ２）。
【００５１】
トップ画面２０において、システムキッチン欄２１を選択して素材画像の種別を「システムキッチン」として選択すると（Ｓ３）、システムキッチンの素材画像を使用して合成画像を作成するためのベース画像選択画面２５（図４）が表示される。ベース画像選択画面２５において、端末機１中の記憶装置や、端末機１にセットした記録媒体から、それらに記憶されている建物の室内の画像を読み出してベース画像として選択したり（図５参照）、又は通信ネットワーク３（インターネット）を通じて、外部のデータベースやＷｅｂサイト等に保管・表示されている建物の室内の画像をベース画像として選択する（Ｓ４）。ベース画像選択画面２５においてベース画像を選択すると、選択されたベース画像３３は、画像表示欄３０に表示される（Ｓ５）。
【００５２】
図４のベース画像選択画面２５においてベース画像を選択して画像表示欄３０に表示させて、ネクストボタン３８を押すと、図６の表示範囲画定画面２６が表示される。表示範囲画定画面２６において、表示範囲枠４０の四隅を移動させて所望の形状に変形させる（Ｓ６）。また、必要に応じて、表示範囲枠４０の追加及び削除を行う（Ｓ６）。
【００５３】
図６の表示範囲画定画面２６において一又は二以上の表示範囲枠４０の大きさ及び形状を決定し、又は表示範囲枠４０を削除して用いないこととして、ネクストボタン３８を押すと、図７の素材画像選択画面２７が表示される。なお、本実行例では、図６の表示範囲画定画面２６において、表示範囲枠４０の外周縁が、ベース画像３３の建物の室内の柱６０に沿うように表示範囲枠４０を変形させることとする。前記図７の素材画像選択画面２７において、いずれかの選択欄４５を選択して所望のシステムキッチンの素材画像を選択する（Ｓ７）。
【００５４】
所望の素材画像を選択すると、図８に示す素材画像編集画面２８が表示され、選択したシステムキッチンの素材画像４４は、画像表示欄３０のベース画像３３上に表示される（Ｓ８）。素材画像編集画面２８において、表示したシステムキッチンの素材画像４４の形状、大きさ（表示幅、表示高）、表示角度、表示位置、傾き、向き、色、デザイン等の表示状態を変更する（Ｓ９）。本実行例では、図９に示すように、ベース画像３３の室内に適合するように、システムキッチンの素材画像４４の表示状態を変更している。
【００５５】
素材画像編集画面２８において所望の変更を行った後に、ネクストボタン３８を押すと、図１０の画像決定画面２９が表示される。まず、前記表示範囲画定画面２６で画定した表示範囲枠４０の内側のみ素材画像４４を表示するか、表示範囲枠４０の外側のみ素材画像４４を表示するかを、表示範囲切替ボタン５２によって切替選択する（Ｓ１０）。次に、表示範囲枠４０を適用させるか適用させないかを、表示範囲枠適用切替ボタン５３で切替える（Ｓ１１）。表示範囲枠４０を適用させる場合は、上記表示範囲切替ボタン５２で表示範囲枠４０の内側のみ素材画像４４を表示するように設定している場合は、ベース画像３３上に表示されている素材画像４４は、表示範囲枠４０の内側部分のみ表示されて、表示範囲枠４０の外側部分は表示されなくなる。本実行例では、前記のように表示範囲枠４０の外周縁が、ベース画像３３の建物の室内の柱６０に沿うように表示範囲枠４０を変形させているため（Ｓ６）、表示範囲枠４０の内側のみ素材画像４４を表示するように設定すると、図９、図１０に示すように、表示範囲枠４０の内側のみシステムキッチンの素材画像４４が表示され、システムキッチンのうち、柱６０からはみ出る部分が表示されなくなり、実際の建物におけるリフォーム完成後の様子に近い画像が表示される。逆に表示範囲切替ボタン５２で表示範囲枠４０の外側のみ素材画像４４を表示するように設定している場合は、ベース画像３３上に表示されている素材画像４４は、表示範囲枠４０の外側部分のみ表示されて、表示範囲枠４０の内側部分は表示されなくなる。表示範囲枠４０を適用させない場合は、ベース画像３３上に表示されている素材画像４４は、前記素材画像編集機能１４によって編集された後の状態のままとなる。なお、表示範囲の切替（Ｓ１０）と表示範囲枠４０の適用切替（Ｓ１１）とは、順序を入替えて実行することもできる。
【００５６】
画像決定画面２９で所望の合成画像を完成させて、登録ボタン５４を押すと、合成画像（建物のリフォームの完成予想図）が画像データベース４に登録され、図１１に示す完了画面５５が表示される（Ｓ１２）。登録した合成画像は、画像データベース４内において、キッチン、バスルーム、ドア、フローリング等の素材画像の種別毎にフォルダ形式で保管され、更に各種別毎のフォルダ内において、夫々選択して画像表示画面上で表示可能なファイル形式で保管されている。完了画面５５の合成画像編集ボタン５６を押すと、再び図３のトップ画面２０が表示され、合成画像の作成を行うことができる（Ｓ２）。
【００５７】
上記の実行例における各作業順及び各画面の表示順は、上記した順番には限られず、任意の順番とすることができる。従って、例えば、合成画像の作成の際に、最初にベース画像を選択し、その後素材画像の種別を選択したり、ベース画像上に素材画像を配置した後に、表示範囲枠を変形させて素材画像の表示範囲を画定したりすること等も可能である。
【００５８】
（合成画像表示、素材画像切替表示、書類作成画面表示の実行例）
図１３は、本発明の合成画像作成プログラム及びシステムの実行例中、合成画像表示、素材画像切替表示、書類作成画面表示の実行例までの流れを示すフローチャートである。端末機１から、端末機１の内部又は外部に備えられた画像データベース４にアクセスすると（Ｓ１３）、端末機１の表示画面に、合成画像がキッチン、バスルーム、ドア、フローリング等の種別毎にフォルダ形式で保管されている画面が表示される。所望の種別のフォルダを選択すると（Ｓ１４）、端末機１の表示画面に、各種別の合成画像がファイル形式で表示されている画面が表示される。所望の合成画像のファイルを選択すると（Ｓ１５）、画像表示画面（図示しない）を端末機１の表示画面に表示して、選択された合成画像が表示される（Ｓ１６）。
【００５９】
画像表示画面に合成画像を表示した状態で、同じ画面内の素材画像の切替え表示ボタン（図示しない）を押すと、表示中の合成画像の種類、形状、表示範囲、大きさ、表示角度、表示位置、傾き、向き、色、デザイン等の表示状態の設定を保ったまま素材画像を次々と切替え表示することができる（Ｓ１７）。
【００６０】
また、画像表示画面に合成画像を表示した状態で、同じ画面内の書類作成ボタン（図示しない）を押すと、表示中の合成画像を含む書類を作成可能な書類作成画面を表示して、表示中の合成画像を含む提案書や見積書等の書類を作成することができる（Ｓ１８）。
【００６１】
上記の実行例における各作業順及び各画面の表示順は、上記した順番には限られず、任意の順番とすることができる。従って、例えば、素材画像の切替表示や、合成画像を含む書類の作成を、合成画像を作成し、登録する直前や登録した直後（図１２：Ｓ１１、Ｓ１２）にも行うことができるようにすること等も可能である。
【００６２】
（ダウンロードの実行例）
図１４は、本発明の合成画像作成プログラム及びシステムの実行例中、ダウンロードの実行例の流れを示すフローチャートである。端末機１の表示画面に図３のトップ画面２０が表示された状態で（Ｓ１９）。トップ画面２０に設けられたダウンロードボタン（図示しない）を押すと、端末機１は通信ネットワーク３を介してサーバ２にアクセスし、サーバ２からのベース画像や素材画像のダウンロードが開始される（Ｓ２０）。また、ダウンロードする内容を選択して、選択した内容のみをダウンロードすることもできる。従って、例えば、キッチンの素材画像のみをダウンロードしたり、最新の素材画像のみをダウンロードしたりすること等も可能である。ダウンロードされたベース画像や素材画像は、前記素材データベース５に記憶され、保管される（Ｓ２１）。素材データベース５に保管されたベース画像や素材画像は、夫々ベース画像や素材画像として選択して合成画像を作成することができるようにしてある。ダウンロードしたベース画像や素材画像にはプロテクトがかけられており、本発明の合成画像作成プログラムにおいてのみ使用できるようにしてある。
【００６３】
上記実行例においては、ダウンロードはトップ画面２０上から行うこととしているが、これには限られず、ダウンロードを他の任意の画面上から行うことができるようにしたり、自動で行うことができるようにしたりすることもできる。
【００６４】
（実施形態２）
本発明の合成画像作成プログラム及びシステムでは、前記実施形態１記載の各機能の他に、ベース画像に表示された壁面、床面、天井面の面積を求めるのに必要な現場の実寸データ（高さ、幅、奥行き等）を入力すると、それらのデータに対応させた形状、大きさに加工した素材画像をベース画像内に表示可能とする素材画像加工表示機能を設けることもできる。従って、例えば、ベース画像として建物の室内の画像を使用し、素材画像として壁紙やフローリング等の室内の壁面、床面、天井面に配置する素材の画像を使用する場合は、ベース画像に表示された壁面、床面、天井面の面積を求めるのに必要な現場の実寸データ（高さ、幅、奥行き等）を入力すると、それらのデータに対応させて、各壁面、床面、天井面と同じ大きさ（面積）及び形状等の壁紙やフローリングが、素材画像としてベース画像上に表示されるようにすることもできる。更に、壁紙やフローリングのデザインや模様を選択可能とし、選択した壁紙やフローリングをベース画像上に表示できるようにすることもできる。この素材画像加工表示機能による作業工程は、任意の時点で行うことができる。この素材画像加工表示機能によって、素材画像をベース画像上に配置する場合、現場の実寸データを入力すればそれに対応した素材画像が表示されるため、素材画像の表示状態の変更等の加工が必要なく、簡易且つ迅速に合成画像を作成できるようになる。
【００６５】
（実施形態３）
本発明の合成画像作成プログラム及びシステムでは、前記各実施形態記載の各機能の他に、ベース画像に表示された壁面、床面、天井面の面積を求めるのに必要な現場の実寸データ（高さ、幅、奥行き等）を入力すると、その現場において必要な素材の形状や大きさを算出する必要素材算出機能を設けることもできる。従って、例えば、ベース画像として建物の室内の画像を使用し、素材画像として壁紙やフローリング等の室内の壁面、床面、天井面に配置する素材の画像を使用する場合は、ベース画像に表示された壁面、床面、天井面の面積を求めるのに必要な現場の実寸データ（高さ、幅、奥行き等）を入力すると、各壁面、床面、天井面に要する壁紙、フローリングの大きさ及び形状、ベース画像の現場（実際の建物の室内）全体で必要な壁紙、フローリングの総面積等の数値が算出されるようにすることもできる。この必要素材算出機能は、前記実施形態２記載の素材画像加工表示機能とともに設けることもできる。この必要素材算出機能は、現場のデータを入力すると、現場において必要な素材の形状、大きさを算出するため、実際に工事を行う際に必要な素材の形状や大きさ（面積）を容易に把握することができ、素材を余分に購入してしまう等の無駄がなくなり、コスト減にも資する。
【００６６】
（実施形態４）
本発明の合成画像作成プログラム及びシステムでは、前記各実施形態記載の各機能の他に、ベース画像又は／及び素材画像の明度（表示画像の明暗）、彩度（表示画像の発色の濃淡）、色彩（表示画像の色調）等を調節可能な表示調節機能を設けることもできる。この彩度調節機能による明度、彩度、色彩等の調節は、任意の時点で行うことができ、例えば、素材画像編集画面によって素材画像の大きさ、表示角度等の変更をする時に同時に行ったり、画像決定画面によって表示範囲枠の表示範囲及び表示範囲枠の適用の有無を切替え選択した後に行うこともできる。この表示調節機能によって、ベース画像と素材画像の明暗、発色の濃淡、色調を調整することができ、より現実味のある合成画像を作成することができようになる。
【００６７】
（実施形態５）
本発明の合成画像作成プログラム及びシステムでは、前記各実施形態記載の各機能の他に、ベース画像上における素材画像の表示位置、表示角度、表示大きさ等の目安を、直線や曲線、点や円等で予めベース画像上に表示することができるアウトライン機能を設けることもできる。このアウトライン機能によるベース画像上における素材画像の表示位置、表示角度、表示大きさ等の目安表示は、任意の時点で行うことができるが、ベース画像の選択表示後、素材画像の選択表示前に行うことが望ましい。このアウトライン機能によって、素材画像として壁紙の画像を用いる場合などであっても、表示位置、表示角度、表示大きさ等の目安を予め表示しておくことができるので、素材画像の配置を簡易且つ的確に行うことができ、より現実味のある合成画像を作成することができようになる。
【００６８】
（実施形態６）
本発明の合成画像作成プログラム及びシステムでは、前記実施形態１のように、トップ画面２０を表示してどの種別の素材を用いた合成画像を作成するかを選択させる必要はなく、素材画像選択画面において、どの種別の素材をいくつ用いるのかを任意に選択することができるようにすることもできる。
【００６９】
（その他の実施形態）
前記各実施形態における各機能の動作順、各作業順、各画面の表示順は、前記の各順番には限られず、任意の順番とすることができる。従って、例えば、最初にベース画像を選択し、その後素材画像の種別を選択したり、ベース画像上に素材画像を配置した後に、表示範囲枠を変形させて素材画像の表示範囲を画定したりすることや、素材画像の切替表示や、合成画像を含む書類の作成を、合成画像を作成し、登録した直後にも行うことができるようにすること等も可能である。
【産業上の利用可能性】
【００７０】
本発明の合成画像作成プログラム及びシステムは、建物のリフォームの完成予想図のみならず、広告用合成画像、雑誌用合成画像等、任意の種類の合成画像の作成、加工等に応用することができる。
【図面の簡単な説明】
【００７１】
【図１】本発明の合成画像作成システムの実施形態の一例のシステム構成を示す図である。
【図２】本発明の合成画像作成システムの端末機の機能構成を機能ブロックにて示した図である。
【図３】本発明の合成画像作成システムにおけるトップ画面を示す説明図。
【図４】本発明の合成画像作成システムにおけるベース画像選択画面を示す説明図。
【図５】本発明の合成画像作成システムにおいて、ベース画像選択時に表示される画像ファイル選択画面を示す説明図。
【図６】本発明の合成画像作成システムにおける表示範囲画定画面を示す説明図。
【図７】本発明の合成画像作成システムにおける素材画像選択画面を示す説明図。
【図８】本発明の合成画像作成システムにおける素材画像編集画面（編集前）を示す説明図。
【図９】本発明の合成画像作成システムにおける素材画像編集画面（編集後）を示す説明図。
【図１０】本発明の合成画像作成システムにおける画像決定画面を示す説明図。
【図１１】本発明の合成画像作成システムにおける完了画面を示す説明図。
【図１２】本発明の合成画像作成プログラム及びシステムの実行例のうち、プログラム起動から合成画像作成、登録の実行例までの流れを示すフローチャート。
【図１３】本発明の合成画像作成プログラム及びシステムの実行例のうち、合成画像表示、素材画像切替表示、書類作成画面表示の実行例までの流れを示すフローチャート。
【図１４】本発明の合成画像作成プログラム及びシステムの実行例のうち、ダウンロードの実行例の流れを示すフローチャート。
【符号の説明】
【００７２】
１  端末機
２  サーバ
３  通信ネットワーク
４  画像データベース
５  素材データベース
６  トップ画面表示機能
８  ベース画像選択機能
９  ベース画像表示機能
１０  素材画像選択機能
１１  素材画像表示機能
１２  合成画像作成表示機能
１３  表示範囲画定機能
１４  素材画像編集機能
１５  合成画像登録機能
１６  合成画像表示機能
１７  素材画像切替表示機能
１８  書類作成画面表示機能
１９  ダウンロード機能
２０  トップ画面
２５  ベース画像選択画面
２６  表示範囲画定画面
２７  素材画像選択画面
２８  素材画像編集画面
２９  画像決定画面
３０  画像表示欄
３２  画像ファイル選択画面
３３  ベース画像
４０  表示範囲枠
４４  素材画像
５４  登録ボタン
５５  完了画面
【図１】
2006343973.tif 000003
【図２】
2006343973.tif 000004
【図３】
2006343973.tif 000005
【図４】
2006343973.tif 000006
【図５】
2006343973.tif 000007
【図６】
2006343973.tif 000008
【図７】
2006343973.tif 000009
【図８】
2006343973.tif 000010
【図９】
2006343973.tif 000011
【図１０】
2006343973.tif 000012
【図１１】
2006343973.tif 000013
【図１２】
2006343973.tif 000014
【図１３】
2006343973.tif 000015
【図１４】
2006343973.tif 000016